(57)【要約】【課題】文書からリンクされた他のデータ内に含まれる情報に基づいて秘匿すべき情報が判明してしまうことを防止する。【解決手段】文書編集装置１０は、対象文書から他のデータにリンクするリンク情報を抽出し、抽出されたリンク情報がリンクする他のデータに秘匿情報が含まれる場合に、そのリンク情報を他のデータにリンクしない情報に変更する。【選択図】図１
2014149772.tif 000002
【特許請求の範囲】
【請求項１】
対象文書から他のデータにリンクするリンク情報を抽出するリンク情報抽出手段と、
前記抽出されたリンク情報がリンクする他のデータに秘匿情報が含まれる場合に、該リンク情報を該他のデータにリンクしない情報に変更する変更手段と、を含む
ことを特徴とする文書編集装置。
【請求項２】
前記対象文書からコード画像を抽出するコード画像抽出手段と、
前記抽出したコード画像に符号化されたデータを復号する復号手段と、をさらに含み、
前記変更手段は、前記復号手段により復号されたデータに秘匿情報が含まれる場合に、該復号されたデータを符号化したコード画像を該復号されたデータを含まない情報に変更する
ことを特徴とする請求項１に記載の文書編集装置。
【請求項３】
前記変更手段は、前記復号手段により復号されたデータがリンク情報を含む場合であって、該リンク情報がリンクする他のデータに秘匿情報が含まれるときには、該復号されたデータを符号化したコード画像を、該リンク情報を含まない情報に変更する
ことを特徴とする請求項２に記載の文書編集装置。
【請求項４】
前記抽出されたリンク情報がリンクする他のデータに秘匿情報が含まれる場合に、該秘匿情報の秘匿を要するか否かをユーザに問い合わせる手段をさらに含み、
前記変更手段は、前記問い合わせの結果、秘匿を要する場合に、前記秘匿情報を含む前記他のデータにリンクするリンク情報を、前記秘匿情報を含む前記他のデータにリンクしない情報に変更する
ことを特徴とする請求項１乃至３のいずれかに記載の文書編集装置。
【請求項５】
前記対象文書から秘匿情報を検索する検索手段をさらに含み、
前記変更手段は、前記検索手段により検索された秘匿情報を他の情報に置換する
ことを特徴とする請求項１乃至４のいずれかに記載の文書編集装置。
【請求項６】
対象文書から他のデータにリンクするリンク情報を抽出するリンク情報抽出手段と、
前記抽出されたリンク情報がリンクする他のデータに秘匿情報が含まれる場合に、該リンク情報を該他のデータにリンクしない情報に変更する変更手段
としてコンピュータを機能させるためのプログラム。
【発明の詳細な説明】
【技術分野】
【０００１】
本発明は、文書編集装置及びプログラムに関する。
【背景技術】
【０００２】
個人情報等を秘匿するために、秘匿すべき情報を格納したデータベースを参照して、文書に含まれる語の中から秘匿対象の語を抽出することがある（特許文献１を参照）。
【０００３】
文書中には秘匿すべき情報が含まれていなくとも、文書からリンクされた他のデータ内に含まれる情報によって秘匿すべき情報が判明してしまうことがある。
【先行技術文献】
【特許文献】
【０００４】
【特許文献１】特開２００６−３０９４０６号公報
【発明の概要】
【発明が解決しようとする課題】
【０００５】
本発明の目的は、文書からリンクされた他のデータ内に含まれる情報に基づいて秘匿すべき情報が判明してしまうことを防止できる文書編集装置及びプログラムを提供することにある。
【課題を解決するための手段】
【０００６】
請求項１に係る発明は、対象文書から他のデータにリンクするリンク情報を抽出するリンク情報抽出手段と、前記抽出されたリンク情報がリンクする他のデータに秘匿情報が含まれる場合に、該リンク情報を該他のデータにリンクしない情報に変更する変更手段と、を含むことを特徴とする文書編集装置である。
【０００７】
請求項２に係る発明は、前記対象文書からコード画像を抽出するコード画像抽出手段と、前記抽出したコード画像に符号化されたデータを復号する復号手段と、をさらに含み、前記変更手段は、前記復号手段により復号されたデータに秘匿情報が含まれる場合に、該復号されたデータを符号化したコード画像を該復号されたデータを含まない情報に変更することを特徴とする請求項１に記載の文書編集装置である。
【０００８】
請求項３に係る発明は、前記変更手段は、前記復号手段により復号されたデータがリンク情報を含む場合であって、該リンク情報がリンクする他のデータに秘匿情報が含まれるときには、該復号されたデータを符号化したコード画像を、該リンク情報を含まない情報に変更することを特徴とする請求項２に記載の文書編集装置である。
【０００９】
請求項４に係る発明は、前記抽出されたリンク情報がリンクする他のデータに秘匿情報が含まれる場合に、該秘匿情報の秘匿を要するか否かをユーザに問い合わせる手段をさらに含み、前記変更手段は、前記問い合わせの結果、秘匿を要する場合に、前記秘匿情報を含む前記他のデータにリンクするリンク情報を、前記秘匿情報を含む前記他のデータにリンクしない情報に変更することを特徴とする請求項１乃至３のいずれかに記載の文書編集装置である。
【００１０】
請求項５に係る発明は、前記対象文書から秘匿情報を検索する検索手段をさらに含み、前記変更手段は、前記検索手段により検索された秘匿情報を他の情報に置換することを特徴とする請求項１乃至４のいずれかに記載の文書編集装置である。
【００１１】
請求項６に係る発明は、対象文書から他のデータにリンクするリンク情報を抽出するリンク情報抽出手段と、前記抽出されたリンク情報がリンクする他のデータに秘匿情報が含まれる場合に、該リンク情報を該他のデータにリンクしない情報に変更する変更手段としてコンピュータを機能させるためのプログラムである。
【発明の効果】
【００１２】
請求項１及び６に記載の発明によれば、文書からリンクされた他のデータ内に含まれる情報に基づいて秘匿すべき情報が判明してしまうことを防止できる。
【００１３】
請求項２に記載の発明によれば、コード画像に符号化されたデータに基づいて秘匿すべき情報が判明してしまうことを防止できる。
【００１４】
請求項３に記載の発明によれば、コード画像に符号化されたリンク情報によりリンクされた他のデータ内に含まれる情報に基づいて秘匿すべき情報が判明してしまうことを防止できる。
【００１５】
請求項４に記載の発明によれば、文書のリンク情報のうち秘匿すべきリンク情報をユーザが選別できる。
【００１６】
請求項５に記載の発明によれば、文書の内容から秘匿すべき情報が判明してしまうことを防止できる。
【図面の簡単な説明】
【００１７】
【図１】本実施形態に係る文書編集装置の機能ブロック図である。
【図２】秘匿情報管理テーブルの一例を示す図である。
【図３】置換情報管理テーブルの一例を示す図である。
【図４】文書編集装置が実行する編集処理のフローチャートである。
【図５】文書編集装置が実行する編集処理のフローチャートである。
【図６】文書編集装置が実行する編集処理のフローチャートである。
【図７】対象文書の一例を示す図である。
【図８】対象文書の編集例を説明する図である。
【図９】対象文書の編集例を説明する図である。
【図１０】対象文書の編集例を説明する図である。
【図１１】対象文書の編集例を説明する図である。
【図１２】対象文書の編集例を説明する図である。
【発明を実施するための形態】
【００１８】
以下、本発明を実施するための実施の形態（以下、実施形態という）を、図面に従って説明する。
【００１９】
［１．文書編集装置が備える機能の説明］
図１には、本実施形態に係る文書編集装置１０の機能ブロック図を示した。図１に示されるように、文書編集装置１０は、対象文書取得部１１、リンク情報抽出部１２、リンク先文書取得部１３、文字認識部１４、コード画像取得部１５、復号部１６、秘匿情報記憶部１７、置換情報記憶部１８、秘匿情報検索部１９、情報変更部２０、表示制御部２１、入力受付部２２を備える。
【００２０】
文書編集装置１０に備えられる上記各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは光ディスク、磁気ディスク、磁気テープ、光磁気ディスク、フラッシュメモリ等の情報記憶媒体によってコンピュータたる文書編集装置１０に供給されることとしてもよいし、インターネット等のデータ通信網を介して文書編集装置１０に供給されることとしてもよい。
【００２１】
対象文書取得部１１は、編集の対象とする文書（対象文書）を取得する。例えば、対象文書取得部１１は、メモリ、ハードディスク、情報記憶媒体等に格納された電子文書のうち、ユーザに指示された電子文書を対象文書として取得してもよいし、ユーザの指示に基づいてネットワークを介してダウンロードした電子文書を対象文書として取得してもよい。
【００２２】
リンク情報抽出部１２は、対象文書取得部１１により取得された対象文書の中からリンク情報を抽出する。例えば、リンク情報抽出部１２は、ハイパーリンクが設定された文字列及び、ハイパーリンクの書式で記述された文字列をリンク情報として抽出することとしてよい。また、リンク情報抽出部１２は、後述する復号部１６で復号化されたデータからもリンク情報を抽出することとしてよい。
【００２３】
リンク先文書取得部１３は、リンク情報抽出部１２で抽出されたリンク情報にアクセスして、リンク情報が参照する文書（リンク先文書）を取得する。リンク先文書取得部１３は、リンク先文書が電子文書（文字列データを含む情報）である場合には、リンク先文書を秘匿情報検索部１９に出力し、リン先文書が文書画像（イメージデータ）である場合には、リンク先文書を文字認識部１４に出力することとしてよい。
【００２４】
文字認識部１４は、リンク先文書取得部１３により取得されたリンク先文書が文書画像である場合に、当該文書画像に文字認識処理を施して、文書画像を電子文書に変換する。そして、文字認識部１４は、文字認識処理に基づき文書画像から変換された電子文書を秘匿情報検索部１９に出力する。
【００２５】
コード画像取得部１５は、対象文書取得部１１により取得された対象文書の中からコード画像を抽出する。例えば、コード画像は、１次元コード（バーコード）、２次元コード（ＱＲコード（登録商標））等としてよい。
【００２６】
復号部１６は、コード画像取得部１５により取得されたコード画像に符号化されたデータを復号する。ここで、復号部１６で復号化されたデータ（復号化データ）は、秘匿情報検索部１９に出力される。
【００２７】
秘匿情報記憶部１７は、個人名、会社名、住所、電話番号等の秘匿情報（語句）を特定するための情報を記憶する。例えば、秘匿情報記憶部１７には、図２に示す秘匿情報管理テーブルが記憶される。図２に示される秘匿情報管理テーブルの例では、秘匿語句を識別する秘匿語句ＩＤ、語句／語句パターンが関連付けて記憶される。なお、図２に示される語句／語句パターンにおいて、［＊］は任意の文字列であることを示している。
【００２８】
置換情報記憶部１８は、秘匿情報を公開してよい他の情報に置換する場合の置換語句の情報を記憶する。例えば、置換情報記憶部１８には、図３に示す置換情報管理テーブルが記憶される。図３に示される置換情報管理テーブルの例では、秘匿語句ＩＤ、秘匿語句ＩＤに関連付けられる語句／語句パターンを置換する置換語句が関連付けて記憶される。なお、図３に示される置換語句において、［Ａ〜Ｚ］は同一文書内での固有名詞をそれぞれ識別するように、［Ａ〜Ｚ］の中から１つの文字を割り当てることを示している。
【００２９】
秘匿情報検索部１９は、対象文書取得部１１により取得された対象文書、リンク先文書取得部１３で取得されたリンク先文書、文字認識部１４で電子文書に変換されたリンク先文書、復号部１６で復号化された復号化データのそれぞれから、秘匿情報記憶部１７に記憶される秘匿情報（語句／語句パターン）を検索する。
【００３０】
情報変更部２０は、秘匿情報検索部１９で検索された秘匿情報をマスクする（塗りつぶす）か、公開してよい他の情報に置換することで、対象文書の内容を変更する。例えば、情報変更部２０は、秘匿情報検索部１９で検索された秘匿情報の確認画面を、表示制御部２１を介して表示装置３０に表示し、その結果、ユーザから入力装置４０により秘匿する旨の指示を、入力受付部２２を介して受け付けた場合に、秘匿情報をマスクするか、他の情報に置換する情報変更処理を実行することとしてよい。なお、秘匿情報の変更処理の詳細については後述する。
【００３１】
表示制御部２１は、液晶ディスプレイ等の表示装置３０と接続し、表示情報を表示装置３０に出力する。
【００３２】
入力受付部２２は、マウス、キーボード等の入力装置４０と接続し、ユーザが入力装置４０に入力した情報を受け付ける。
【００３３】
［２．文書編集装置１０が実行する編集処理の説明］
次に、図４〜６に示したフローチャートを参照しながら、文書編集装置１０が実行する編集処理の詳細について説明する。また、図７〜１２には、文書編集装置１０が実行する編集処理に応じた対象文書の編集画面例を示した。
【００３４】
［２−１．対象文書に含まれるリンク情報についての処理］
図４に示されるように、文書編集装置１０は、まず、ユーザから受け付けた指示等に基づいて、編集の対象とする対象文書を取得する（Ｓ１０１）。
【００３５】
図７には、対象文書を表示した文書表示画面の一例を示した。図７に示される例では、文書表示画面に示される対象文書４００には、リンクＬ１〜Ｌ３とコード画像Ｃ１，Ｃ２が含まれることとする。
【００３６】
次に、文書編集装置１０は、対象文書の中から、対象文書に含まれる全てのリンク情報（リンクＬ１〜ＬＮ）を抽出する（Ｓ１０２）。そして、文書編集装置１０は、変数ｉを１に初期化して（Ｓ１０３）、リンク情報Ｌｉにアクセスして、リンク情報Ｌｉが参照するデータＤｉを取得する（Ｓ１０４）。ここで、文書編集装置１０は、データＤｉが電子文書でなく画像である場合には、データＤｉに文字認識処理を実行して電子文書に変換することとしてよい。
【００３７】
文書編集装置１０は、秘匿情報管理テーブルに基づき、データＤｉに秘匿情報が含まれると判定される場合には（Ｓ１０５：Ｙ）、秘匿情報の編集内容を確認するための確認画面を表示する（Ｓ１０６）。
【００３８】
図８には、確認画面の一例を示した。図８は、リンクＬ１に対する確認画面５００の一例を示しており、確認画面５００には、リンクのアドレス、リンク先のデータを表示するリンク先データ表示画面５０１、リンクのマスク処理を指示するためのマスクボタンＢ１、リンクの内容の変更を指示するための内容変更ボタンＢ２、リンクの秘匿が不要である旨を指示するための秘匿不要ボタンＢ３がそれぞれ表示される。なお、図８に示した例では、リンク先データに、シークレット情報Ｓ１（秘匿情報）が含まれることとしている。
【００３９】
文書編集装置１０は、例えばリンクＬｉの確認画面のマスクボタンＢ１又は内容変更ボタンＢ２が押下されることで、ユーザから秘匿指示を受け付けた場合には（Ｓ１０７：Ｙ）、Ｓ１０８に進む。ここで、文書編集装置１０は、秘匿態様が「マスク」である場合には（Ｓ１０８：マスク）、リンクＬｉのリンクを無効化するとともに、リンクＬｉを含む文字列又は画像をマスク（塗りつぶし）する（Ｓ１０９）。
【００４０】
図９には、リンクＬ１の確認画面でマスクボタンＢ１が押下された場合の編集例を示した。図９には、リンクＬ１を含む文字列の全体がマスク処理された例を示している。
【００４１】
また、文書編集装置１０は、秘匿態様が「内容変更」である場合には（Ｓ１０８：内容変更）、リンクＬｉのリンクを無効化するとともに、リンクＬｉを含む文字列又は画像を、リンクＬｉのリンク先のアドレスを含まない他の文字列又は画像に変更する（Ｓ１１０）。
【００４２】
文書編集装置１０は、Ｓ１０９、Ｓ１１０の後、又は、Ｓ１０５でデータＤｉに秘匿情報が含まれないと判定される場合（Ｓ１０５：Ｎ）、さらには、Ｓ１０７で例えばリンクＬｉの確認画面の秘匿不要ボタンＢ３が押下されることで、ユーザから秘匿指示を受け付けない場合（Ｓ１０７：Ｎ）には、Ｓ１１１に進む。ここで、文書編集装置１０は、変数ｉがＮに達していない場合には（Ｓ１１１：Ｎ）、変数ｉをインクリメント（１加算）して（Ｓ１１２）、Ｓ１０４に戻り、変数ｉがＮに達している場合には（Ｓ１１１：Ｙ）、図５に示すフローチャートに進む。
【００４３】
［２−２．対象文書に含まれるコード画像についての処理］
図５に示されるように、文書編集装置１０は、対象文書の中から対象文書に含まれる全てのコード画像（コード画像Ｃ１〜ＣＭ）を抽出する（Ｓ２０１）。そして、文書編集装置１０は、変数ｉを１に初期化して（Ｓ２０２）、コード画像Ｃｉを復号して、コード画像Ｃｉの復号データＥｉを取得する（Ｓ２０３）。
【００４４】
文書編集装置１０は、復号データＥｉにリンク情報が含まれている場合には（Ｓ２０４：Ｙ）、リンク情報にアクセスしてリンク先のデータを取得する（Ｓ２０５）。文書編集装置１０は、Ｓ２０４で復号データＥｉにリンク情報が含まれていない場合（Ｓ２０４：Ｎ）、そしてＳ２０５の後にＳ２０６に進む。
【００４５】
ここで、文書編集装置１０は、秘匿情報管理テーブルに基づき、復号データＥｉ又は復号データＥｉに含まれるリンク情報に基づき取得したリンク先データに秘匿情報が含まれると判定される場合には（Ｓ２０６：Ｙ）、秘匿情報の編集内容を確認するための確認画面を表示する（Ｓ２０７）。
【００４６】
図１０には、確認画面の一例を示した。図１０は、コード画像Ｃ１に対する確認画面の一例を示しており、コード画像Ｃ１の確認画面５００には、コード画像Ｃ１の復号データＥ１を表示する表示画面、復号データＥ１に含まれるリンクＥＬ１のリンク先のデータを表示するリンク先データ表示画面、コード画像のマスク処理を指示するためのマスクボタンＢ１、コード画像の内容の変更を指示するための内容変更ボタンＢ２、コード画像の秘匿が不要である旨を指示するための秘匿不要ボタンＢ３がそれぞれ表示される。なお、図１０に示した例では、復号データＥ１のリンク先データに、シークレット情報Ｓ２（秘匿情報）が含まれることとしている。
【００４７】
文書編集装置１０は、例えばコード画像Ｃｉの確認画面のマスクボタンＢ１又は内容変更ボタンＢ２が押下されることで、ユーザから秘匿指示を受け付けた場合には（Ｓ２０８：Ｙ）、Ｓ２０９に進む。ここで、文書編集装置１０は、秘匿態様が「マスク」である場合には（Ｓ２０９：マスク）、コード画像Ｃｉをマスク（塗りつぶし）する（Ｓ２１０）。
【００４８】
また、文書編集装置１０は、秘匿態様が「内容変更」である場合には（Ｓ２０９：内容変更）、コード画像Ｃｉを、コード画像Ｃｉの復号データを含まない他の文字列又は画像に変更する（Ｓ２１１）。
【００４９】
図１１には、コード画像Ｃ１の確認画面で内容変更ボタンＢ２が押下された場合の編集例を示した。図１１に示した例では、コード画像Ｃ１が、元のコード画像とは異なる新たなコード画像に変更されている。ここで、新たなコード画像で符号化されるデータは、元のコード画像で符号化されるデータとは異なるデータとする。
【００５０】
文書編集装置１０は、Ｓ２１０、Ｓ２１１の後、又は、Ｓ２０６で復号データＥｉに秘匿情報が含まれないと判定される場合（Ｓ２０５：Ｎ）、さらには、Ｓ２０８で例えばコード画像Ｃｉの確認画面の秘匿不要ボタンＢ３が押下されることで、ユーザから秘匿指示を受け付けない場合（Ｓ２０８：Ｎ）には、Ｓ２１２に進む。ここで、文書編集装置１０は、変数ｉがＭに達していない場合には（Ｓ２１２：Ｎ）、変数ｉをインクリメント（１加算）して（Ｓ２１３）、Ｓ２０３に戻り、変数ｉがＮに達している場合には（Ｓ２１２：Ｙ）、図６に示すフローチャートに進む。
【００５１】
［２−３．対象文書に含まれる文字列についての処理］
図６に示されるように、文書編集装置１０は、秘匿情報管理テーブルに基づき、対象文書に含まれる全ての秘匿情報の候補語句（Ｗ１〜ＷＬ）を抽出する（Ｓ３０１）。そして、文書編集装置１０は、変数ｉを１に初期化して（Ｓ３０２）、候補語句Ｗｉの編集内容を確認するための確認画面を表示する（Ｓ３０３）。確認画面には、候補語句のマスク処理を指示するためのマスクボタンＢ１、候補語句の内容の変更を指示するための内容変更ボタンＢ２、候補語句の秘匿が不要である旨を指示するための秘匿不要ボタンＢ３がそれぞれ表示されることとしてよい。
【００５２】
文書編集装置１０は、例えば候補語句Ｗｉの確認画面のマスクボタンＢ１又は内容変更ボタンＢ２が押下されることで、ユーザから秘匿指示を受け付けた場合には（Ｓ３０４：Ｙ）、Ｓ３０５に進む。ここで、文書編集装置１０は、秘匿態様が「マスク」である場合には（Ｓ３０５：マスク）、候補語句Ｗｉを含む文字列をマスク（塗りつぶし）する（Ｓ３０６）。
【００５３】
また、文書編集装置１０は、秘匿態様が「内容変更」である場合には（Ｓ３０５：内容変更）、候補語句Ｗｉを含む文字列を、候補語句Ｗｉの文字列を含まない他の文字列に変更する（Ｓ３０７）。ここで、文書編集装置１０は、例えば置換情報管理テーブルに基づいて、候補語句Ｗｉの置換語句を検索し、検索した置換語句に候補語句Ｗｉを変更することとしてよい。
【００５４】
文書編集装置１０は、Ｓ３０６、Ｓ３０７の後、又は、Ｓ３０４で例えば候補語句Ｗｉの確認画面の秘匿不要ボタンＢ３が押下されることで、ユーザから秘匿指示を受け付けない場合（Ｓ３０４：Ｎ）には、Ｓ３０８に進む。ここで、文書編集装置１０は、変数ｉがＬに達していない場合には（Ｓ３０８：Ｎ）、変数ｉをインクリメント（１加算）して（Ｓ３０９）、Ｓ３０３に戻り、変数ｉがＮに達している場合には（Ｓ３０８：Ｙ）、処理を終了する。
【００５５】
図１２には、文書編集装置１０による対象文書の編集例を示した。図１２に示した編集例では、リンクＬ１を含む文字列がマスク処理され、リンクＬ３を含む文章単位（例えば、行や段落）がマスク処理され、コード画像Ｃ１が内容変更されているが、編集内容は一例であり、図示した例に限られないことはもちろんである。
【００５６】
以上説明した文書編集装置１０によれば、対象文書から、リンク先に秘匿すべき情報が含まれているリンク、符号化されたデータに秘匿すべき情報が含まれているコード画像が公開されないように、対象文書の編集を行うことができる。
【００５７】
本発明は上述した実施形態に限定されるものではない。例えば、上記の実施形態では、秘匿情報の確認画面でユーザの指示を受け付けることとしているが、秘匿情報の確認画面の表示を省略してもよい。
【００５８】
また、上記の実施形態では、文書編集装置１０が、秘匿情報記憶部１７、置換情報記憶部１８を備えている例について説明したが、秘匿情報記憶部１７、置換情報記憶部１８は文書編集装置１０の外部の装置に備えられ、文書編集装置１０が外部の装置に備えられた秘匿情報記憶部１７、置換情報記憶部１８を参照するようにしてもよい。
【００５９】
また、秘匿情報検索部１９は、対象文書、対象文書のリンク先文書、復号データにそれぞれ含まれる語句のうち、秘匿情報記憶部１７に記憶される秘匿語句と一致又は類似する語句を検索することとしてよい。
【００６０】
また、文書編集装置１０は、対象文書のリンク情報について、当該リンク情報によるアクセスが制限されている場合にも、当該リンク情報が秘匿情報であると判定することとしてもよい。同様に、文書編集装置１０は、対象文書のコード画像について、当該コード画像を復号化した復号データが暗号化されている場合にも、当該コード画像には秘匿情報が含まれると判定することとしてもよい。
【００６１】
また、文書編集装置１０は、対象文書に含まれる秘匿情報を、秘匿情報ではない他の文字列に置換する場合に、当該秘匿情報の周囲に記述された文字列に基づいて、秘匿情報の置換語句を修飾する語句を設定することとしてもよい。
【符号の説明】
【００６２】
１０  文書編集装置、１１  対象文書取得部、１２  リンク情報抽出部、１３  リンク先文書取得部、１４  文字認識部、１５  コード画像取得部、１６  復号部、１７  秘匿情報記憶部、１８  置換情報記憶部、１９  秘匿情報検索部、２０  情報変更部、２１  表示制御部、２２  入力受付部、３０  表示装置、４０  入力装置、４００  対象文書、５００  確認画面、Ｌ１〜Ｌ３  リンク、Ｃ１，Ｃ２  コード画像、Ｂ１  マスクボタン、Ｂ２  内容変更ボタン、Ｂ３  秘匿不要ボタン、Ｓ１，Ｓ２  シークレット情報。
【図１】
2014149772.tif 000003
【図２】
2014149772.tif 000004
【図３】
2014149772.tif 000005
【図４】
2014149772.tif 000006
【図５】
2014149772.tif 000007
【図６】
2014149772.tif 000008
【図７】
2014149772.tif 000009
【図８】
2014149772.tif 000010
【図９】
2014149772.tif 000011
【図１０】
2014149772.tif 000012
【図１１】
2014149772.tif 000013
【図１２】
2014149772.tif 000014